(57)【要約】【課題】非駆動時の圧電素子に印加される電圧を低くする。【解決手段】圧電素子Ｐ６に液滴吐出波形Ｄ１が供給されると、時分割線ＪＬ２、圧電素子Ｐ２を介して、圧電素子Ｐ１に逆電位が生じる。また、時分割線ＪＬ２、圧電素子Ｐ４を介して、圧電素子Ｐ３に逆電位が生じる。そこで、波形発生回路７２は、スイッチ素子ＳＷ１２を介して圧電素子Ｐ１に駆動波形Ｄ２を供給すると共に、スイッチ素子ＳＷ２２を介して圧電素子Ｐ３に駆動波形Ｄ２を供給する。【選択図】図５
2008143129.tif 000002
【特許請求の範囲】
【請求項１】
ｎ個の群にわけられたｍ個の圧電素子と、
液体を収容し、前記圧電素子により減圧あるいは加圧される複数の収容室と、
液滴を吐出させるための液滴吐出波形を発生する第１の波形発生手段と、
液滴を吐出させないための駆動波形を発生する第２の波形発生手段と、
所定の電圧を発生する電圧発生手段と、
前記液滴吐出波形もしくは駆動波形の一方を選択あるいはいずれも選択しない第１の選択手段と、
前記第１の選択手段と群毎に前記圧電素子の一方側の端子とを接続する複数の選択線と、
群毎に１つの圧電素子の他方側の端子と接続する複数の時分割線と、
前記時分割線に接続され、前記電圧発生手段により発生された所定の電圧を選択する第２の選択手段と、を備え、
前記第２の波形発生手段は、液滴を吐出させない圧電素子と液滴を吐出させる圧電素子の前記収容室の減圧を開始する時刻とが異なるように駆動波形を発生し、
前記第１の選択手段は、液滴を吐出する圧電素子を含む群の圧電素子に接続された選択線に液滴吐出波形を出力し、群のすべての圧電素子が液滴を吐出させない群の圧電素子に接続された選択線に駆動波形を出力あるいは何も出力せず、
前記第２の選択手段は、収容室を加圧して液滴を吐出させる期間、液滴を吐出する圧電素子を含む群に接続された時分割線と異なる時分割線の電圧変化が抑制されるように、前記所定の電圧を選択する
圧電素子の駆動回路を備えた液滴吐出装置。
【請求項２】
前記第２の波形発生手段は、前記収容室を加圧して液滴を吐出させる期間、の前記液滴吐出波形の振幅の１／３未満の波形を含む駆動波形を発生する
請求項１に記載の液滴吐出装置。
【請求項３】
ｎ個の群にわけられたｍ個の圧電素子と、
液体を収容し、前記圧電素子により減圧あるいは加圧される複数の収容室と、
液滴を吐出させるための液滴吐出波形を発生する第１の波形発生手段と、
液滴を吐出させないための駆動波形を発生する第２の波形発生手段と、
所定の電圧を発生する電圧発生手段と、
群毎に前記圧電素子の一方側の端子に接続する複数の選択線と、
各群に接続された選択線から少なくとも１つを選択して前記電圧発生手段により発生された所定の電圧を出力する第１の選択手段と、
群毎に１つの圧電素子の他方側の端子と接続する複数の時分割線と、
各群に接続された時分割線から少なくとも１つの時分割線を選択して当該選択した時分割線に前記第１の波形発生手段により発生された駆動波形を出力し、あるいは駆動波形を出力しない第２の選択手段と、
各群に接続された時分割線から少なくとも１つの時分割線を選択して当該選択した時分割線に前記第２の波形発生手段により発生された駆動波形を出力し、あるいは駆動波形を出力しない第３の選択手段と、を備え、
前記第２の波形発生手段は、前記液滴吐出波形の最大振幅の１／３以上から２／３未満の波形であって、液滴を吐出させる圧電素子による収容室の減圧時間と液滴を吐出させない圧電素子による収容室の減圧時間とが異なるように、前記収容室から液滴を吐出させないための圧電素子の駆動波形を発生し、
前記第１の選択手段は、前記収容室を加圧して液滴を吐出させる期間、液滴を吐出させる圧電素子を含む群の選択線を選択して当該選択した時分割線に前記所定の電圧を出力し、
前記第２の選択手段は、前記収容室を加圧して液滴を吐出させる期間、液滴を吐出させる圧電素子に接続されている時分割線を選択して当該選択した時分割線に液滴吐出波形を出力し、
前記第３の選択手段は、圧電素子に液滴吐出波形が供給されたときに、当該圧電素子に接続されている時分割線と異なる時分割線の電圧変化が抑制されるように、前記異なる時分割線に対して前記駆動波形を供給する
圧電素子の駆動回路を備えた液滴吐出装置。
【請求項４】
前記第２の波形発生手段は、前記液滴吐出波形の最大振幅の１／４以下の波形であって、液滴を吐出させる圧電素子による収容室の減圧時間より液滴を吐出させない圧電素子による収容室の減圧時間が早くなるように、前記収容室から液滴を吐出させないための圧電素子の駆動波形を発生する
請求項１または請求項２に記載の液滴吐出装置。
【請求項５】
前記第２の選択手段は、圧電素子に液滴吐出波形が供給されたときの当該圧電素子に接続されている時分割線と異なる時分割線に対して、液滴吐出波形による電圧変化が抑制されるような電圧波形を供給する
請求項１または請求項２に記載の液滴吐出装置。
【請求項６】
液滴としてインク滴を吐出することにより記録媒体に画像を形成する請求項１から５のいずれか１項に記載の液滴吐出装置と、
前記記録媒体を搬送する搬送手段と、
前記液滴吐出装置および搬送手段を制御する制御手段と、
を備えた画像形成装置。
【発明の詳細な説明】
【技術分野】
【０００１】
本発明は、液滴吐出装置及び画像形成装置に関する。
【背景技術】
【０００２】
従来、印字信号を圧電素子に印加して圧電素子を伸長させ、このときに発生するインクの動圧によりノズルからインク滴を吐出させて印刷用紙にドットを形成するインクジェットプリンタが知られている。
【０００３】
特許文献１のインクジェットプリンタの駆動回路は、圧電素子を駆動するｍ個の駆動素子と、圧電素子に個々に並列に接続される抵抗と、ｋ個の選択するためのスイッチを具備し、圧電素子を時分割駆動する。これにより、上記インクジェットプリンタの駆動回路は、圧電素子を駆動するのに必要な駆動素子の数を削減でき、駆動回路の低コスト化を図る。
【０００４】
また、特許文献２のインクジェットプリンタのマトリックス駆動方式は、各時分割線に対して待機時電位と駆動電位と非駆動電位とを供給し、該電位を選択して駆動する時分割ドライバーと、各選択線に対して待機時電位と駆動電位と非駆動電位を供給し、該電位を選択して駆動する時分割ドライバーとを備えている。そして、駆動時には、圧電素子両端に待機時電位と駆動電位との駆動差分電圧を印加し、非駆動時には、前記圧電素子両端に前記駆動差分電圧の１／３もしくは−１／３のいずれかが印加されるように、前記分割線及び前記選択線に印加する電位を設定する。
【０００５】
これにより、上記インクジェットプリンタのマトリックス駆動方式は、非駆動の圧電素子に作用する差分電圧を、駆動差分電圧の１／３もしくは−１／３までに抑えることが可能であり、非駆動圧電素子からインクが漏れるなどの問題を解決する。
【特許文献１】特開平４−７７２６０号公報
【特許文献２】特開平９−１０９３９０号公報
【発明の開示】
【発明が解決しようとする課題】
【０００６】
本発明は、本発明の構成を備えないものに比べて、非駆動時の圧電素子に印加される電圧を低くする液滴吐出装置及び画像形成装置を提供することを目的とする。
【課題を解決するための手段】
【０００７】
請求項１の発明である液滴吐出装置は、ｎ個の群にわけられたｍ個の圧電素子と、液体を収容し、前記圧電素子により減圧あるいは加圧される複数の収容室と、液滴を吐出させるための液滴吐出波形を発生する第１の波形発生手段と、液滴を吐出させないための駆動波形を発生する第２の波形発生手段と、電圧調整波形を発生する電圧調整波形発生手段と、前記液滴吐出波形もしくは駆動波形の一方を選択あるいはいずれも選択しない第１の選択手段と、前記第１の選択手段と群毎に前記圧電素子の一方側の端子とを接続する複数の選択線と、群毎に１つの圧電素子の他方側の端子と接続する複数の時分割線と、前記時分割線に接続され、前記電圧調整波形発生手段により発生された電圧調整波形を選択する第２の選択手段と、を備え、前記第２の波形発生手段は、液滴を吐出させない圧電素子と液滴を吐出させる圧電素子の前記収容室の減圧を開始する時刻とが異なるように駆動波形を発生し、前記第１の選択手段は、液滴を吐出する圧電素子を含む群の圧電素子に接続された選択線に液滴吐出波形を出力し、群のすべての圧電素子が液滴を吐出させない群の圧電素子に接続された選択線に駆動波形を出力あるいは何も出力せず、前記第２の選択手段は、収容室を加圧して液滴を吐出させる期間、液滴を吐出する圧電素子を含む群に接続された時分割線と異なる時分割線の電圧変化が抑制されるように、前記電圧調整波形を選択する。
【０００８】
請求項２の発明は、請求項１に記載の液滴吐出装置において、前記第２の波形発生手段は、前記収容室を加圧して液滴を吐出させる期間、の前記液滴吐出波形の振幅の１／３未満の波形を含む駆動波形を発生する。
【０００９】
請求項３の発明である液滴吐出装置は、ｎ個の群にわけられたｍ個の圧電素子と、液体を収容し、前記圧電素子により減圧あるいは加圧される複数の収容室と、液滴を吐出させるための液滴吐出波形を発生する第１の波形発生手段と、液滴を吐出させないための駆動波形を発生する第２の波形発生手段と、所定の電圧を発生する電圧発生手段と、群毎に前記圧電素子の一方側の端子に接続する複数の選択線と、各群に接続された選択線から少なくとも１つを選択して前記電圧発生手段により発生された所定の電圧を出力する第１の選択手段と、群毎に１つの圧電素子の他方側の端子と接続する複数の時分割線と、各群に接続された時分割線から少なくとも１つの時分割線を選択して当該選択した時分割線に前記第１の波形発生手段により発生された駆動波形を出力し、あるいは駆動波形を出力しない第２の選択手段と、各群に接続された時分割線から少なくとも１つの時分割線を選択して当該選択した時分割線に前記第２の波形発生手段により発生された駆動波形を出力し、あるいは駆動波形を出力しない第３の選択手段と、を備え、前記第２の波形発生手段は、前記液滴吐出波形の最大振幅の１／３以上から２／３未満の波形であって、液滴を吐出させる圧電素子による収容室の減圧時間と液滴を吐出させない圧電素子による収容室の減圧時間とが異なるように、前記収容室から液滴を吐出させないための圧電素子の駆動波形を発生し、前記第１の選択手段は、前記収容室を加圧して液滴を吐出させる期間、液滴を吐出させる圧電素子を含む群の選択線を選択して当該選択した時分割線に前記所定の電圧を出力し、前記第２の選択手段は、前記収容室を加圧して液滴を吐出させる期間、液滴を吐出させる圧電素子に接続されている時分割線を選択して当該選択した時分割線に液滴吐出波形を出力し、前記第３の選択手段は、圧電素子に液滴吐出波形が供給されたときに、当該圧電素子に接続されている時分割線と異なる時分割線の電圧変化が抑制されるように、前記異なる時分割線に対して前記駆動波形を供給する。
【００１０】
請求項４の発明は、請求項１または請求項２に記載の液滴吐出装置であって、前記第２の波形発生手段は、前記液滴吐出波形の最大振幅の１／４以下の波形であって、液滴を吐出させる圧電素子による収容室の減圧時間より液滴を吐出させない圧電素子による収容室の減圧時間が早くなるように、前記収容室から液滴を吐出させないための圧電素子の駆動波形を発生する。
【００１１】
請求項５の発明は、請求項１または請求項２に記載の圧電素子の液滴吐出装置であって、前記第２の選択手段は、圧電素子に液滴吐出波形が供給されたときの当該圧電素子に接続されている時分割線と異なる時分割線に対して、液滴吐出波形による電圧変化が抑制されるような電圧波形を供給する。
【００１２】
請求項６の発明である液滴吐出装置は、液滴としてインク滴を吐出することにより記録媒体に画像を形成する請求項１から５のいずれか１項に記載の液滴吐出装置と、前記記録媒体を搬送する搬送手段と、前記液滴吐出装置および搬送手段を制御する制御手段と、を備えている。
【発明の効果】
【００１３】
請求項１に記載の発明によれば、本発明の構成を備えないものに比べて、液滴を吐出させない圧電素子に印加される電圧を低くでき、収容室から液滴が誤吐出されるのを防止することが可能となる。
【００１４】
請求項２に記載の発明によれば、本発明の構成を備えないものに比べて、圧電素子に製造による静電容量のバラツキが生じても、液滴を吐出させない圧電素子に印加される電圧を収容室からの液滴が誤吐出しない程度に低くすることができる。
【００１５】
請求項３に記載の発明によれば、本発明の構成を備えないものに比べて、回路構成の規模を小さくすることができる。
【００１６】
請求項４に記載の発明によれば、本発明の構成を備えないものに比べて、液滴を吐出させない圧電素子に印加される電圧を更に低くでき、収容室からの液体の誤吐出、あるいは、誤吐出には至らないが液滴を吐出する吐出口表面に液体が溢れ吐出の障害となることを更に抑制することができる。
【００１７】
請求項５に記載の発明によれば、本発明の構成を備えないものに比べて、液滴吐出波形による電位の変位を抑制することができる。
【００１８】
請求項６に記載の発明によれば、本発明の構成を備えないものに比べて、誤吐出の防止により高画質の画像を形成することができる。
【発明を実施するための最良の形態】
【００１９】
以下、本発明の好ましい実施の形態について図面を参照しながら詳細に説明する。
【００２０】
［第１の実施形態］
まず、本発明に係る第１の実施形態のインク噴射記録装置１２を備えた画像形成装置について説明する。
【００２１】
図１に示すように、インク噴射記録装置１２の筐体１４内の下部には給紙収納部１６が備えられており、給紙収納部１６内に積層された記録用紙Ｐをピックアップロール１８で１枚ずつ取り出すことができる。取り出された記録用紙Ｐは、所定の搬送経路２２を構成する複数の搬送ローラ対２０で搬送される。
【００２２】
給紙収納部１６の上方には、駆動ロール２４及び従動ロール２６に張架された無端状の搬送ベルト２８が配置されている。搬送ベルト２８の上方には記録ヘッド装置部３０が配置されており、搬送ベルト２８の平坦部分２８Ｆに対向している。この対向した領域が、記録ヘッド装置部３０からインク滴が吐出される吐出領域ＳＥとなっている。
【００２３】
搬送経路２２を搬送された記録用紙Ｐは、搬送ベルト２８で保持されてこの吐出領域ＳＥに至り、記録ヘッド装置部３０に対向した状態で、記録ヘッド装置部３０から画像情報に応じたインク滴が付着する。
【００２４】
記録ヘッド装置部３０は、有効な記録領域が記録用紙Ｐの幅以上の長尺状とされ、イエロー（Ｙ）、マゼンタ（Ｍ）、シアン（Ｃ）、及びブラック（Ｋ）の４色それぞれに対応した４つのインク噴射記録ヘッド部３２が搬送方向に並んで配置されており、フルカラーの画像を記録可能になっている。
【００２５】
また、各インク噴射記録ヘッド部３２にインクを供給するために、インクを予め収容したインク収容部５４がインク噴射記録装置１２の筐体１４内の上部に設けられている。
【００２６】
記録ヘッド装置部３０は、搬送方向と交差する方向に不動とされていてもよいが、必要に応じて移動するように構成しておくと、マルチパスによる画像記録で、より解像度の高い画像を記録し、又はインク噴射記録ヘッド部３２の不具合を記録結果に反映させないようにできる。
【００２７】
また、記録ヘッド装置部３０の両側には、それぞれのインク噴射記録ヘッド部３２に対応した４つのメンテナンスユニット３４が配置されている。インク噴射記録ヘッド部３２に対してメンテナンスを行う場合には、図２に示すように、記録ヘッド装置部３０が上方へ移動し、搬送ベルト２８との間に構成された間隙にメンテナンスユニット３４が移動して入り込む。そして、ノズル面１１４Ｎに対向した状態で、所定のタイミングで、吸引、予備吐出、キャッピング、及び弾性ブレードを有するワイパー２３０によるノズル面１１４Ｎの拭き取り等のメンテナンス動作を行う。
【００２８】
図３に示すように、記録ヘッド装置部３０の上流側には、電源３８が接続された帯電ロール３６が配置されている。帯電ロール３６は、従動ロール２６との間で搬送ベルト２８及び記録用紙Ｐを挟みつつ従動し、記録用紙Ｐを搬送ベルト２８に押圧する押圧位置と、搬送ベルト２８から離間した離間位置との間を移動可能とされている。押圧位置では、接地された従動ロール２６との間に所定の電位差が生じるため、記録用紙Ｐに電荷を与えて搬送ベルト２８に静電吸着させることができる。
【００２９】
記録ヘッド装置部３０の下流側には、剥離プレート４０が配置されており、記録用紙Ｐを搬送ベルト２８から剥離させる。剥離された記録用紙Ｐは、剥離プレート４０の下流側で排出経路４４を構成する複数の排出ローラ対４２で搬送され、筐体１４の上部に設けられた排紙収納部４６に排出される。
【００３０】
図４は、インク収容部５４の周辺部の構成を示す図である。インク収容部５４には、たとえばシアン、マゼンタもしくはイエローのいずれかの色からなるインクが収容されている。インク収容部５４は、導管１０２を介して、ノズル１０３に接続されている。
【００３１】
導管１０２の下側には圧電素子Ｐが振動板１０５を介して配置されている。圧電素子Ｐは、液滴吐出波形が供給されると矢印Ａ方向に変位する。このとき、インク収容部５４に対して圧力が加えられ、ノズル１０３からインクの液滴が吐出される。
【００３２】
図５は、圧電素子の駆動回路の構成を示す回路図である。圧電素子の駆動回路は、圧電素子Ｐ１〜Ｐ６と、スイッチ素子ＳＷ１１、ＳＷ１２、ＳＷ２１、ＳＷ２２、ＳＷ３１、ＳＷ３２、ＳＷ３〜ＳＷ６と、液滴を吐出させるための液滴吐出波形を発生する波形発生回路７１と、圧電素子を駆動させるものの液滴を吐出させないための駆動波形（ずらし波形）を発生する波形発生回路７２と、所定の電圧（電圧調整波形Ｄ３）を発生する波形発生回路７３と、各スイッチ素子ＳＷがオン又はオフになるように制御するスイッチ制御回路８０と、を備えている。
【００３３】
圧電素子Ｐ１〜Ｐ６は３つの群に分けられている。本実施形態では、圧電素子Ｐ１とＰ２が第１群を、圧電素子Ｐ３とＰ４が第２群を、圧電素子Ｐ５とＰ６が第３群を形成している。各群では、各圧電素子の一方側の端子に同一の選択線が接続されている。例えば、圧電素子Ｐ１とＰ２の一方側の端子には選択線ＳＬ１が、圧電素子Ｐ３とＰ４の一方側の端子には選択線ＳＬ２が、圧電素子Ｐ５とＰ６の一方側の端子には選択線ＳＬ３が接続されている。また、各群では、各圧電素子の他方側の端子にそれぞれ異なる時分割線が接続されている。例えば第１群では、圧電素子Ｐ１の他方側の端子には時分割線ＪＬ１が、圧電素子Ｐ２の他方側の端子には時分割線ＪＬ２が接続されている。
【００３４】
波形発生回路７１は、スイッチ素子ＳＷ１１を介して、点Ｘに接続されている。波形発生回路７２は、スイッチ素子ＳＷ１２を介して、点Ｘに接続されている。圧電素子Ｐ１及びＰ２の一方の極は、点Ｘに接続されている。圧電素子Ｐ１の他方の極は時分割線ＪＬ１に接続され、圧電素子Ｐ２の他方の極は時分割線ＪＬ２に接続されている。
【００３５】
また、波形発生回路７２は、スイッチ素子ＳＷ２２を介して、点Ｙに接続されている。波形発生回路７１は、スイッチ素子ＳＷ２１を介して、点Ｙに接続されている。圧電素子Ｐ３及びＰ４の一方の極は、点Ｙに接続されている。圧電素子Ｐ３の他方の極は時分割線ＪＬ１に接続され、圧電素子Ｐ４の他方の極は時分割線ＪＬ２に接続されている。
【００３６】
さらに、波形発生回路７２は、スイッチ素子ＳＷ３２を介して、点Ｚに接続されている。波形発生回路７１は、スイッチ素子ＳＷ３１を介して、点Ｚに接続されている。圧電素子Ｐ５及びＰ６の一方の極は、点Ｚに接続されている。圧電素子Ｐ５の他方の極は時分割線ＪＬ１に接続され、圧電素子Ｐ６の他方の極は時分割線ＪＬ２に接続されている。
【００３７】
電圧源９０は、スイッチ素子ＳＷ３を介して時分割線ＪＬ１に接続されると共に、スイッチ素子ＳＷ４を介して時分割線ＪＬ２に接続され、所定の電圧Ｅ１を出力する。波形発生回路７３は、スイッチ素子ＳＷ５を介して時分割線ＪＬ１に接続されると共に、スイッチ素子ＳＷ６を介して時分割線ＪＬ２に接続され、電圧調整波形Ｄ３を発生する。
【００３８】
スイッチ制御回路８０は、スイッチ素子ＳＷ１１、ＳＷ１２、ＳＷ２１、ＳＷ２２、ＳＷ３１、ＳＷ３２、ＳＷ３〜ＳＷ６のオン又はオフを各々制御する。
【００３９】
図６は、液滴吐出波形Ｄ１、駆動波形Ｄ２、電圧調整波形Ｄ３のタイミングチャートである。
【００４０】
時刻０から時刻Ｔ１において、液滴吐出波形Ｄ１及び駆動波形Ｄ２は、電圧Ｅ２である。また、電圧調整波形Ｄ３は、電圧Ｅ１である。なお、Ｅ２−Ｅ１＝ｄＶ１とする。
【００４１】
時刻Ｔ１から時刻Ｔ２において、駆動波形Ｄ２は、時刻Ｔ１から低下して電圧Ｅ１に達する。液滴吐出波形Ｄ１は、駆動波形Ｄ２が電圧Ｅ１に達した後に、低下して電圧Ｅ１に達する。すなわち、駆動波形Ｄ２は、液滴吐出波形Ｄ１よりも早いタイミングで立ち下がる。なお、電圧調整波形Ｄ３は、電圧Ｅ１のままである。
【００４２】
時刻Ｔ２から時刻Ｔ３において、液滴吐出波形Ｄ１は、電圧Ｅ１からｄＶ２だけ立ち上がり、再び低下して電圧Ｅ１に戻る。駆動波形Ｄ２は、電圧Ｅ１のままである。電圧調整波形Ｄ３は、電圧Ｅ１からｄＶ３（＝ｄＶ２×３／４）だけ立ち上がり、再び低下して電圧Ｅ１に戻る。
【００４３】
時刻Ｔ３から時刻Ｔ４において、液滴吐出波形Ｄ１及び駆動波形Ｄ２は、電圧Ｅ１から電圧Ｅ２まで立ち上がった後、電圧Ｅ２を維持する。電圧調整波形Ｄ３は、電圧Ｅ１のままである。
【００４４】
なお、時刻０から時刻Ｔ４までが１印字周期であり、時刻Ｔ４から時刻Ｔ５までが次の１印字周期である。
【００４５】
図７は、圧電素子Ｐ６のみを駆動させるときの各スイッチ素子ＳＷのオン／オフ制御のタイミングを示す図である。
【００４６】
時刻０から時刻Ｔ２において、スイッチ制御回路８０は、スイッチ素子ＳＷ３１、ＳＷ１２、ＳＷ２２、ＳＷ４をオンに制御すると共に、スイッチ素子ＳＷ１１、ＳＷ２１、ＳＷ３２、ＳＷ３、ＳＷ５、ＳＷ６をオフに制御する。
【００４７】
時刻Ｔ２から時刻Ｔ３において、スイッチ制御回路８０は、スイッチ素子ＳＷ３１、ＳＷ４、ＳＷ５をオンに制御すると共に、スイッチ素子ＳＷ１１、ＳＷ２１、ＳＷ１２、ＳＷ２２、ＳＷ３２、ＳＷ３、ＳＷ６をオフに制御する。
【００４８】
時刻Ｔ３から時刻Ｔ４において、スイッチ制御回路８０は、スイッチ素子ＳＷ３１、ＳＷ１２、ＳＷ２２、ＳＷ４をオンに制御すると共に、スイッチ素子ＳＷ１１、ＳＷ２１、ＳＷ３２、ＳＷ３、ＳＷ５、ＳＷ６をオフに制御する。
【００４９】
この結果、収容室を加圧して液滴を吐出させる期間である時刻Ｔ２から時刻Ｔ３において、波形発生回路７１は、スイッチ素子ＳＷ３１を介して、液滴吐出波形Ｄ１を圧電素子Ｐ６に供給する。このとき、液滴吐出波形Ｄ１は圧電素子Ｐ５にも印加されるので、時分割線ＪＬ２の電圧が変化するおそれがある。そこで、波形発生回路７３は、スイッチ素子ＳＷ５を介して、時分割線ＪＬ１に電圧調整波形Ｄ３を供給する。このため、液滴吐出波形Ｄ１による時分割線ＪＬ１の電圧の変化は、電圧調整波形Ｄ３を供給がない場合よりも、小さくなる。
【００５０】
なお、駆動波形Ｄ２は、図６に示すものに限定されるものではなく、次のようなものであってもよい。
【００５１】
図８は、液滴吐出波形Ｄ１、駆動波形Ｄ２、電圧調整波形Ｄ３のタイミングチャートである。なお、液滴吐出波形Ｄ１及び電圧調整波形Ｄ３は図５と同じ波形であるが、駆動波形Ｄ２は図５と異なる波形になっている。具体的には、図８の駆動波形Ｄ２は、時刻Ｔ２から時刻Ｔ３において、電圧Ｅ１からｄＶ４（＝ｄＶ２／４）だけ立ち上がり、再び電圧Ｅ１に戻る。そして、スイッチ制御回路８０は、図７に示すように、各スイッチ素子ＳＷを制御する。
【００５２】
図９は、圧電素子Ｐ１〜Ｐ６に印加される電圧波形を示す図である。図９によると、圧電素子Ｐ６には、液滴吐出波形Ｄ１がそのまま印加される。これにより、圧電素子Ｐ６が駆動され、圧電素子Ｐ６により液滴が吐出される。
【００５３】
また、時刻Ｔ２から時刻Ｔ３において、圧電素子Ｐ６に液滴吐出波形Ｄ１が供給されると、時分割線ＪＬ２、圧電素子Ｐ２を介して、圧電素子Ｐ１に逆電位が生じる。また、時分割線ＪＬ２、圧電素子Ｐ４を介して、圧電素子Ｐ３に逆電位が生じる。そこで、波形発生回路７２は、スイッチ素子ＳＷ１２を介して圧電素子Ｐ１に駆動波形Ｄ２を供給すると共に、スイッチ素子ＳＷ２２を介して圧電素子Ｐ３に駆動波形Ｄ２を供給する。これにより、図９に示すように、液滴吐出時の圧電素子Ｐ１、Ｐ３に生じる逆電位は、ｄＶ２に比べて１／２以下に小さくなる。
【００５４】
また、時刻Ｔ２から時刻Ｔ３において、駆動波形Ｄ２によって圧電素子Ｐ２、Ｐ４に生じる電界は、仮に液滴吐出波形Ｄ１が印加されたときに生じる電界の半分となり、無視できない大きさである。しかし、図８に示すように、駆動波形Ｄ２の時刻Ｔ１〜Ｔ２における立ち下がりのタイミング（メニスカスを引き込むタイミング）は、液滴吐出波形Ｄ１の立ち下がりのタイミングよりも早くなっている。すなわち、駆動波形Ｄ２は、時刻Ｔ１〜Ｔ２における立ち下がりのタイミングから、時刻Ｔ２〜Ｔ３における立ち上がりのタイミング（液滴を吐出するタイミング）までが長くなっている。このため、図９に示すように、圧電素子Ｐ２、Ｐ４には駆動波形Ｄ２がそのまま印加されるが、駆動波形Ｄ２による圧力は液滴吐出波形Ｄ１による圧力より低くなる。
【００５５】
［第２の実施形態］
つぎに、本発明の第２の実施形態について説明する。
【００５６】
図１０は、第２の実施形態に係るインク噴射記録ヘッド部３２の構成を示す回路図である。インク噴射記録ヘッド部３２は、圧電素子Ｐ１〜Ｐ６と、スイッチ素子ＳＷ４１、ＳＷ４２、ＳＷ４３、ＳＷ３〜ＳＷ６と、波形発生回路７１、７２と、スイッチ制御回路８０と、を備えている。
【００５７】
電圧源９０は、スイッチ素子ＳＷ４１を介して点ｈに、スイッチ素子ＳＷ４２を介して点ｉに、スイッチ素子ＳＷ４３を介して点ｊにそれぞれ接続されている。
【００５８】
圧電素子Ｐ１及びＰ２の一方の極は、点ｈに接続されている。また、圧電素子Ｐ１の他方の極は時分割線ＪＬ１に接続され、圧電素子Ｐ２の他方の極は時分割線ＪＬ２に接続されている。圧電素子Ｐ３及びＰ４の一方の極は、点ｉに接続されている。また、圧電素子Ｐ３の他方の極は時分割線ＪＬ１に接続され、圧電素子Ｐ４の他方の極は時分割線ＪＬ２に接続されている。圧電素子Ｐ５及びＰ６の一方の極は、点ｊに接続されている。また、圧電素子Ｐ５の他方の極は時分割線ＪＬ１に接続され、圧電素子Ｐ６の他方の極は時分割線ＪＬ２に接続されている。
【００５９】
波形発生回路７１は、スイッチ素子ＳＷ３を介して時分割線ＪＬ１に接続されると共に、スイッチ素子ＳＷ４を介して時分割線ＪＬ２に接続され、吐出波形Ｄ１を出力する。波形発生回路７２は、スイッチ素子ＳＷ５を介して時分割線ＪＬ１に接続されると共にスイッチ素子ＳＷ６を介して時分割線ＪＬ２に接続され、ずらし波形Ｄ２を発生する。
【００６０】
スイッチ制御回路８０は、スイッチ素子ＳＷ４１、ＳＷ４２、ＳＷ４３、ＳＷ３〜ＳＷ６のオン又はオフを各々制御する。
【００６１】
図１１は、液滴吐出波形Ｄ１、駆動波形Ｄ２のタイミングチャートである。
【００６２】
図１２は、圧電素子Ｐ６のみを駆動させるときの各スイッチ素子ＳＷのオン／オフ制御のタイミングを示す図である。
【００６３】
時刻０から時刻Ｔ２において、スイッチ制御回路８０は、スイッチ素子ＳＷ４１、ＳＷ４２、ＳＷ５、ＳＷ６をオンに制御すると共に、スイッチ素子ＳＷ４３、ＳＷ３、ＳＷ４をオフに制御する。
【００６４】
時刻Ｔ２から時刻Ｔ３において、スイッチ制御回路８０は、スイッチ素子ＳＷ４３、ＳＷ３、ＳＷ４をオンに制御すると共に、スイッチ素子ＳＷ４１、ＳＷ４２、ＳＷ５、ＳＷ６をオフに制御する。
【００６５】
収容室を加圧して液滴を吐出させる期間である時刻Ｔ３から時刻Ｔ４において、スイッチ制御回路８０は、スイッチ素子ＳＷ４３、ＳＷ４、ＳＷ５をオンに制御すると共に、スイッチ素子ＳＷ４１、ＳＷ４２、ＳＷ３、ＳＷ６をオフに制御する。
【００６６】
時刻Ｔ４から時刻Ｔ５において、スイッチ制御回路８０は、スイッチ素子ＳＷ４１、ＳＷ４２、ＳＷ５、ＳＷ６をオンに制御すると共に、スイッチ素子ＳＷ３、ＳＷ４をオフに制御する。
【００６７】
これにより、時刻Ｔ３から時刻Ｔ４において、圧電素子Ｐ６に液滴吐出波形Ｄ１が供給されると、時分割線ＪＬ２、圧電素子Ｐ２を介して、圧電素子Ｐ１に逆電位が生じる。また、時分割線ＪＬ２、圧電素子Ｐ４を介して、圧電素子Ｐ３に逆電位が生じる。そこで、波形発生回路７２は、スイッチ素子ＳＷ５を介して圧電素子Ｐ１、Ｐ３に駆動波形Ｄ２を供給する。これにより、液滴吐出時の圧電素子Ｐ１、Ｐ３に生じる逆電位は、ｄＶ２に比べて１／２以下に小さくなる。
【００６８】
また、時刻Ｔ３から時刻Ｔ４において、駆動波形Ｄ２によって圧電素子Ｐ２、Ｐ４に生じる電界は、仮に駆動波形Ｄ１が印加されたときに生じる電界の半分となり、無視できない大きさである。しかし、駆動波形Ｄ２は、時刻Ｔ１〜Ｔ２における立ち下がりのタイミングから、時刻Ｔ３〜Ｔ４における立ち上がりのタイミングまでが長くなっている。このため、圧電素子Ｐ２、Ｐ４には駆動波形Ｄ２がそのまま印加されるが、駆動波形Ｄ２による圧力は液滴吐出波形Ｄ１による圧力より低くなる。
【００６９】
なお、本発明は、上述した実施の形態に限定されるものではなく、特許請求の範囲に記載された範囲内で設計上の変更をされたものにも適用可能であるのは勿論である。
【図面の簡単な説明】
【００７０】
【図１】インク噴射記録装置を備えた画像形成装置の構成を示す図である。
【図２】インク噴射記録装置を備えた画像形成装置の構成を示す図である。
【図３】帯電ロールの配置を示す図である。
【図４】インク収容部の周辺部の構成を示す図である。
【図５】圧電素子の駆動回路の構成を示す回路図である。
【図６】液滴吐出波形Ｄ１、駆動波形Ｄ２、電圧調整波形Ｄ３のタイミングチャートである。
【図７】圧電素子Ｐ６のみを駆動させるときの各スイッチ素子ＳＷのオン／オフ制御のタイミングを示す図である。
【図８】液滴吐出波形Ｄ１、駆動波形Ｄ２、電圧調整波形Ｄ３のタイミングチャートである。
【図９】圧電素子Ｐ１〜Ｐ６に印加される電圧波形を示す図である。
【図１０】第２の実施形態に係るインク噴射記録ヘッド部の構成を示す回路図である。
【図１１】液滴吐出波形Ｄ１、駆動波形Ｄ２のタイミングチャートである。
【図１２】圧電素子Ｐ６のみを駆動させるときの各スイッチ素子ＳＷのオン／オフ制御のタイミングを示す図である。
【符号の説明】
【００７１】
７１  波形発生回路（第１の波形発生手段）
７２  波形発生回路（第２の波形発生手段）
７３  波形発生回路（電圧発生手段）
８０  スイッチ制御回路
９０  電圧源
ＳＷ１１、ＳＷ１２、ＳＷ２１、ＳＷ２２、ＳＷ３１、ＳＷ３２  スイッチ素子
Ｐ１〜Ｐ６  圧電素子
【図１】
2008143129.tif 000003
【図２】
2008143129.tif 000004
【図３】
2008143129.tif 000005
【図４】
2008143129.tif 000006
【図５】
2008143129.tif 000007
【図６】
2008143129.tif 000008
【図７】
2008143129.tif 000009
【図８】
2008143129.tif 000010
【図９】
2008143129.tif 000011
【図１０】
2008143129.tif 000012
【図１１】
2008143129.tif 000013
【図１２】
2008143129.tif 000014